(57)【要約】  ハードハンドオーバ（ＨＨＯ）先のセルでＭＢＭＳのサービスを受信開始できるようになるまでの時間を短縮することができる無線制御装置。無線制御装置（１１０）は、マルチキャスト通信によるサービス（ＭＢＭＳ）とＤＰＣＨによる通信とを同時に受信可能な移動局装置（１３０）のＨＨＯ制御を行う。移動局装置（１３０）のＨＨＯ先のセルで、ＭＢＭＳのサービスに関する制御情報を伝送するＭＣＣＨを送信中のＳＣＣＰＣＨの設定情報を抽出する無線情報抽出部（１１７）と、無線情報抽出部（１１７）により抽出した設定情報を、移動局装置（１３０）のＨＨＯ前に、移動局装置（１３０）のＨＨＯに関する制御情報を伝送するＤＣＣＨ上にて、ＨＨＯ元のセルの基地局装置（１２０Ａ）より移動局装置（１３０）に対して通知する通知手段と、を具備する。
2008065712.tif 000002
【特許請求の範囲】
【請求項１】
マルチキャスト通信によるサービスとＤＰＣＨ（Dedicated Physical Channel）による通信とを同時に受信可能な移動局装置のハードハンドオーバ制御を行う無線制御装置であって、
前記移動局装置のハードハンドオーバ先のセルで、前記サービスに関する制御情報を伝送するＭＣＣＨ(MBMS point-to-multipoint Control Channel)を送信中のＳＣＣＰＣＨ(Secondary Common Control Physical)の設定情報を抽出する無線情報抽出手段と、
前記無線情報抽出手段により抽出した前記設定情報を、前記移動局装置のハードハンドオーバ前に、前記移動局装置のハードハンドオーバに関する制御情報を伝送するＤＣＣＨ（Dedicated Control Channel）上にて、ハードハンドオーバ元のセルの基地局装置より前記移動局装置に対して通知する通知手段と、
を具備する無線制御装置。
【請求項２】
前記移動局装置が前記サービスの受信登録を行っているか否かを確認して前記サービスを識別する識別手段と、
前記移動局装置が前記識別手段により識別されたサービスを受信中であるか否かを確認し、前記移動局装置が前記サービスを受信中である場合に、該当するサービスの識別子と、ハードハンドオーバ対象の前記移動局装置の識別子を前記無線情報抽出手段に通知する受信確認手段と、
を具備する請求項１に記載の無線制御装置。
【請求項３】
前記無線情報抽出手段は、前記移動局装置が受信中の前記サービスに関するＭＣＣＨを送信中のＳＣＣＰＣＨに関する設定情報に替え、前記ハンドオーバ先のセルにおいて前記移動局装置が受信している前記サービスを送信しているＳＣＣＰＣＨの設定情報を抽出し、抽出した設定情報を前記ハンドオーバに関する制御情報を運ぶＭＣＣＨ上で前記移動局装置に対して通知する、
請求項１に記載の無線制御装置。
【請求項４】
前記識別手段及び前記無線情報抽出手段に替え、前記受信確認手段にて前記移動局装置が前記サービスを受信中であることを確認すると、ハードハンドオーバ先で送信中の前記サービスの情報を、前記ハードハンドオーバ前に前記ＤＣＣＨ上で前記移動局装置に通知する、
請求項２に記載の無線制御装置。
【請求項５】
請求項１記載の無線制御装置より送信されたマルチキャスト通信によるサービスを送信中のＳＣＣＰＣＨの設定情報をＤＰＣＨ上で受信する受信部と、
前記受信部で受信した前記ＳＣＣＰＣＨの設定情報の内容に基づいて、マルチキャスト通信によるサービスを受信するマルチキャストサービス受信部と、
を具備する移動局装置。
【請求項６】
前記受信部は、前記無線制御装置にてハードハンドオーバを促すシグナリングと共に挿入された、前記ハードハンドオーバ先のセルの前記サービスの制御情報そのものを取得することで、ハードハンドオーバ先のセルに自身が受信登録した前記サービスが存在することを認識し、かつハードハンドオーバ後に受信すべき物理チャネルの設定を知る機能を有する、
請求項５記載の移動局装置。
【請求項７】
マルチキャスト通信によるサービスとＤＰＣＨによる通信とを同時に受信可能な移動局装置のハードハンドオーバ制御を行う無線制御方法であって、
前記移動局装置のハードハンドオーバ先のセルで、前記サービスに関する制御情報を伝送するＭＣＣＨを送信中のＳＣＣＰＣＨの設定情報を抽出する無線情報抽出ステップと、
前記無線情報抽出ステップにより抽出した前記設定情報を、前記移動局装置のハードハンドオーバ前に、前記移動局装置のハードハンドオーバに関するＤＣＣＨ上にて、ハードハンドオーバ元のセルの基地局装置より前記移動局装置に対して通知する通知ステップと、
を具備する無線制御方法。
【発明の詳細な説明】
【技術分野】
【０００１】
本発明は、マルチキャスト通信によるサービスと個別チャネル（ＤＰＣＨ：Dedicated Physical Channel）による通信とを同時に受信可能な移動局装置のハードハンドオーバ制御を行う無線制御装置、移動局装置、及び無線制御方法に関する。
【背景技術】
【０００２】
この種の移動局装置（ＵＥ：User Equipment）に対するハードハンドオーバ（以下、「ＨＨＯ」という）の制御に関する手順は、非特許文献１の規格により規定されている。【０００３】
非特許文献１には、移動局装置がＭＢＭＳ（Multimedia Broadcast Multicast Service）によるマルチキャスト受信を行う際の手順として、
（１）ＨＨＯ先のセルの基地局装置から送信される報知情報の取得
（２）ＭＢＭＳの制御情報を伝送する論理チャネル（ＭＣＣＨ：MBMS point-to-multipoint Control Channel）の取得
（３）ＭＢＭＳの中身を伝送する論理チャネル（ＭＴＣＨ：MBMS point-to-multipoint Traffic Channel）の受信
の順で行うことが記載されている。【０００４】
また、非特許文献１には、移動局装置が、ＨＨＯ先のセルで使用する（あるいは使用する可能性のある）個別チャネルに関する設定情報（configuration情報）を、ＨＨＯ元のセルの基地局装置より論理チャネル（ＤＣＣＨ：Dedicated Control Channel）にて事前に通知することが記載されている。【０００５】
図１は、従来の無線制御方法により移動局装置がＨＨＯする際の手順を示すシーケンス図である。【０００６】
図１に示すシーケンスは、個別チャネルＤＰＣＨの送受信を行っている移動局装置１３が、ＭＢＭＳを受信している最中に、基地局装置１２Ａのセルから基地局装置１２ＢのセルにＨＨＯする際の手順を示したものである。【０００７】
図１において、ＤＰＣＨを送受信中の移動局装置１３は、ＭＢＭＳの受信を開始するにあたり、ＤＰＣＨを送受信中の基地局装置１２Ａより、報知情報を伝送する論理チャネル（ＢＣＣＨ：Broadcast Control Channel）を、物理チャネル（ＰＣＣＰＣＨ１：Primary Common Control Physical）を受信して取得し、ＭＢＭＳの制御情報を伝送する論理チャネルＭＣＣＨを運ぶ、物理チャネル（ＳＣＣＰＣＨ１：Secondary Common Control Physical）の設定情報（configuration情報）を取得する（ステップＳＴ４０１）。【０００８】
次いで、移動局装置１３は、ステップＳＴ４０１で取得したＳＣＣＰＣＨ１の設定情報を用いて、ＭＢＭＳの制御情報を伝送するＭＣＣＨを取得し（ステップＳＴ４０２）、実際にＭＢＭＳが送信されているＳＣＣＰＣＨ２の設定を知る。【０００９】
ＳＣＣＰＣＨ２には、送信されているＭＢＭＳのスケジューリング情報を伝送する論理チャネル（ＭＳＣＨ：MBMS point-to-multipoint schedule Channel)と、ＭＢＭＳの中身を伝送するＭＴＣＨが含まれている。【００１０】
次いで、移動局装置１３は、前記ＭＳＣＨを受信することで、自身が受信したいＭＢＭＳの受信開始タイミングや受信時間を知り、該当する時間、ＭＢＭＳを受信する（ステップＳＴ４０３）。【００１１】
無線制御装置（ＲＮＣ；Radio Network Controller）１１は、移動局装置１３を、基地局装置１２Ａのセルから基地局装置１２ＢのセルにＨＨＯさせるために、例えば、物理チャネル再設定（Physical channel reconfiguration）メッセージを、ＤＰＤＣＨ（Dedicated Physical Data Channel）上の制御情報を送信するＤＣＣＨに乗せて、ＨＨＯ元であるセルの基地局装置１２Ａより移動局装置１３に対して通知させる（ステップＳＴ４０４）。【００１２】
前記メッセージの通知を受けた移動局装置１３は、ＨＨＯを実施し、ＨＨＯ先のセルの基地局装置１２Ｂに対して、上りのＤＰＤＣＨ上のＤＣＣＨにて、物理チャネル再設定完了（Physical channel reconfiguration complete）メッセージを送信して、ＨＨＯしたことを基地局装置１２Ｂに通知する（ステップＳＴ４０５）。この物理チャネル再設定完了（Physical channel reconfiguration complete）メッセージは、基地局装置１２Ａを介して無線制御装置１１にも通知される。【００１３】
この後、移動局装置１３は、ＨＨＯにより中断されていたＭＢＭＳの受信を再開するために、基地局装置１２Ｂから送信される受信信号に対して、基地局装置１２Ａからの受信信号に対して行った手順（ステップＳＴ４０１，ステップＳＴ４０２，ステップＳＴ４０３）と同様の手順を行う（ステップＳＴ４０６，ステップＳＴ４０７，ステップＳＴ４０８）。【００１４】
すなわち、移動局装置１３は、ＨＨＯにより中断されていたＭＢＭＳの受信を再開するにあたり、基地局装置１２Ｂより、ＰＣＣＰＣＨ２を受信して、報知情報を伝送するＢＣＣＨを取得し、ＭＢＭＳの制御情報を伝送するＭＣＣＨを運ぶ、ＳＣＣＰＣＨ３の設定情報を取得する（ステップＳＴ４０６）。【００１５】
次いで、移動局装置１３は、ステップＳＴ４０６で取得したＳＣＣＰＣＨ３の設定情報を用いて、ＭＢＭＳの制御情報を伝送するＭＣＣＨを取得し、実際にＭＢＭＳが送信されているＳＣＣＰＣＨ４の設定を知る（ステップＳＴ４０７）。【００１６】
ＳＣＣＰＣＨ４には、送信されているＭＢＭＳのスケジューリング情報を伝送するＭＳＣＨと、ＭＢＭＳの中身を伝送するＭＴＣＨが含まれている。【００１７】
そして、移動局装置１３は、送信されているＭＢＭＳのスケジューリング情報を伝送するＭＳＣＨを受信することで、自身が受信したいＭＢＭＳの受信開始タイミングや受信時間を知り、ＭＢＭＳの受信を再開する（ステップＳＴ４０８）。
【非特許文献１】３ＧＰＰ  ＴＳ２５．３３１  Ｖ６．８．０
【発明の開示】
【発明が解決しようとする課題】
【００１８】
ところで、上述したように、非特許文献１に記載されている従来の無線制御方法においては、移動局装置１３が、ＨＨＯ先のセルの基地局装置１２Ｂから実際に送信されているＭＢＭＳのＳＣＣＰＣＨ３の設定を知ることで、ＨＨＯ後のＭＢＭＳの受信を再開するようになっている。【００１９】
従って、従来の無線制御方法においては、移動局装置１３が、ＨＨＯ先のセルで報知情報を伝送するＢＣＣＨを取得し、ＭＢＭＳの制御情報を伝送するＭＣＣＨを運ぶ、ＳＣＣＰＣＨ３の設定情報を知るまで、ＨＨＯ先のセルでＭＢＭＳの受信を開始することができない。【００２０】
すなわち、従来の無線制御方法では、ＨＨＯ先のセルでＭＢＭＳが受信可能である場合であっても、移動局装置１３は、ＨＨＯ後のセルの基地局装置１２Ｂが送信している報知情報を取得し、ＭＢＭＳに関する制御情報を運ぶ、ＭＣＣＨを送信しているＳＣＣＰＣＨ３の設定を知るまで、ＭＣＣＨを受信することができないため、ＨＨＯ後すぐにはＭＢＭＳの受信を開始することができない。【００２１】
このため、従来の無線制御方法では、ＨＨＯ先のセルにおいてＭＢＭＳが実際に受信可能な状態になるまでに、時間を要する欠点があった。【００２２】
また、従来の無線制御方法では、移動局装置１３が、ＤＰＣＨによる通信を行っている際に報知情報を運ぶＰＣＣＰＣＨ１を同時に受信することができない場合、ＳＣＣＰＣＨ１の設定情報を得ることができないため、ＤＰＣＨによる通信が終了するまでＭＢＭＳの受信を開始することができない欠点があった。【００２３】
このように、従来の無線制御方法では、移動局装置１３がＨＨＯ先の基地局１２Ｂのセルに移動した後に、ＭＢＭＳの受信を再開するまでに長い時間を要してしまうという課題がある。【００２４】
本発明の目的は、ＨＨＯ先のセルでマルチキャスト通信によるサービスを受信開始できるようになるまでの時間を短縮することができる無線制御装置、移動局装置、及び無線制御方法を提供することである。
【課題を解決するための手段】
【００２５】
本発明の無線制御装置は、マルチキャスト通信によるサービスとＤＰＣＨ（Dedicated Physical Channel）による通信とを同時に受信可能な移動局装置のハードハンドオーバ制御を行う無線制御装置であって、前記移動局装置のハードハンドオーバ先のセルで、前記サービスに関する制御情報を伝送するＭＣＣＨ(MBMS point-to-multipoint Control Channel)を送信中のＳＣＣＰＣＨ(Secondary Common Control Physical)の設定情報を抽出する無線情報抽出手段と、前記無線情報抽出手段により抽出した前記設定情報を、前記移動局装置のハードハンドオーバ前に、前記移動局装置のハードハンドオーバに関する制御情報を伝送するＤＣＣＨ（Dedicated Control Channel）上にて、ハードハンドオーバ元のセルの基地局装置より前記移動局装置に対して通知する通知手段と、を具備する構成を採る。【００２６】
本発明の移動局装置は、請求項１記載の無線制御装置より送信されたマルチキャスト通信によるサービスを送信中の物理チャネルＳＣＣＰＣＨの設定情報を個別チャネルＤＰＣＨ上で受信する受信部と、前記受信部で受信した前記物理チャネルＳＣＣＰＣＨの設定情報の内容に基づいて、前記マルチキャスト通信によるサービスを受信するマルチキャストサービス受信部と、を具備する構成を採る。
【発明の効果】
【００２７】
本発明によれば、ＨＨＯ先のセルでマルチキャスト通信によるサービスを受信開始できるようになるまでの時間を短縮することができる。
【図面の簡単な説明】
【００２８】
【図１】従来の無線制御方法により移動局装置がハードハンドオーバする際の手順を示すシーケンス図
【図２】本発明の一実施の形態に係る無線制御装置を用いた無線アクセスネットワークの構成を示す概略構成図
【図３】本発明の一実施の形態に係る無線制御装置の構成を示すブロック図
【図４】本発明の一実施の形態に係る無線制御装置を用いて移動局装置がハンドオーバする際の手順を示すシーケンス図
【発明を実施するための最良の形態】
【００２９】
以下、本発明の一実施の形態について、図面を参照して詳細に説明する。【００３０】
図２に、本発明の無線制御方法が適用される無線アクセスネットワークの概略構成を示す。無線アクセスネットワーク１００は、無線制御装置１１０、基地局装置１２０Ａ，１２０Ｂ、移動局装置１３０などで構成されている。【００３１】
移動局装置１３０は、電源のＯＮにより、自身が位置しているセル１２１Ａの基地局装置１２０Ａから発信される報知情報を受信する。報知情報には、基地局装置１２０Ａの位置情報が含まれており、これにより移動局装置１３０は自身が位置しているセル１２１Ａを知ることができる。【００３２】
次いで、移動局装置１３０は、固有の識別情報を基地局装置１２０Ａに送り、位置登録をするように要求する。識別情報は、基地局装置１２０Ａを経て、図示しない位置登録データベース（ＶＬＲ；Visitor Location Register）に送られる。【００３３】
ＶＬＲは、自身が受け持つ複数のセルからなるエリア内の端末（移動局装置１３０を含む）を管理する。【００３４】
移動局装置１３０の位置登録情報は、ＶＬＲから、さらに携帯電話網全体の端末情報を管理する図示しないデータベース（ＨＬＲ；Home Location Register）に送られる。ＨＬＲは、予め全てのユーザ情報とＶＬＲの位置情報を持っている。【００３５】
移動局装置１３０の位置登録が実行されると、ＶＬＲとともにＨＬＲの情報が更新される。【００３６】
無線制御装置１１０は、移動局装置１３０が基地局装置１２０Ａの通信エリアであるセル１２１Ａから基地局装置１２０Ｂの通信エリアであるセル１２１Ｂに移動する際に、基地局装置１２０Ａ，１２０Ｂに対するＨＨＯ制御を行う機能を有している。【００３７】
図３に、無線制御装置１１０の構成を示す。無線制御装置１１０は、基地局制御情報生成部１１１、個別チャネル制御情報生成部１１２、ＭＢＭＳ制御情報生成部１１３、移動局情報管理部１１４、識別部１１５、ＭＢＭＳ受信確認部１１６、無線情報抽出部１１７を備えている。無線制御装置１１０は、基地局装置１２０Ａ，１２０Ｂで使用している物理レイヤの情報を予め持っている。【００３８】
基地局制御情報生成部１１１は、基地局装置１２０Ａ，１２０Ｂに対して、各基地局装置１２０Ａ，１２０Ｂで送信に使用するコード番号などの、物理チャネルの制御情報である基地局制御情報信号Ｓ１を生成し、生成した基地局制御情報信号Ｓ１を基地局装置１２０Ａ，１２０Ｂに送出する。【００３９】
無線情報抽出部１１７は、移動局装置１３０のＨＨＯ先の基地局装置１２０Ｂで使用している物理レイヤの情報を問い合わせる、問い合わせ信号Ｓ４を、基地局制御情報生成部１１１に送信する。無線情報抽出部１１７は、問い合わせ信号Ｓ４で問い合わせた基地局装置１２０Ｂに関する物理レイヤの情報を、基地局制御情報生成部１１１から情報信号Ｓ２として受け取る。【００４０】
そして、無線情報抽出部１１７は、基地局制御情報生成部１１１から抽出した物理レイヤの情報を、個別チャネル制御情報生成部１１２で生成するＤＣＣＨの情報として移動局装置１３０に伝えるように、無線情報信号Ｓ３として個別チャネル制御情報生成部１１２に渡す。【００４１】
また、無線情報抽出部１１７は、ＭＢＭＳ受信確認部１１６から確認信号Ｓ１２を受け取ることにより、個別チャネル制御情報生成部１１２に指示信号Ｓ１３を送出する。確認信号Ｓ１２は、ＭＢＭＳ受信確認部１１６により、ＨＨＯする移動局装置１３０が、ＭＢＭＳを受信中で、かつ移動局装置１３０が受信しているＭＢＭＳをＨＨＯ先の基地局装置１２０Ｂで送信していると判定できたことを無線情報抽出部１１７に知らせる。指示信号Ｓ１３は、情報信号Ｓ２として抽出した無線情報を、個別チャネル制御情報生成部１１２の論理チャネルＤＣＣＨの情報信号Ｓ５として、ＨＨＯ元の基地局装置１２０Ａを介して移動局装置１３０に渡すように指示する。【００４２】
このように、無線情報抽出部１１７は、ＭＢＭＳ受信確認部１１６にて確認されたＭＢＭＳに関連する無線情報を、基地局制御情報生成部１１１から情報信号Ｓ２として抽出し、抽出した無線情報を無線情報信号Ｓ３として個別チャネル制御情報生成部１１２に通知する。【００４３】
個別チャネル制御情報生成部１１２は、無線情報抽出部１１７から渡された、移動局装置１３０のＨＨＯ先の基地局装置１２０Ｂで使用している物理レイヤの情報である無線情報信号Ｓ３を、個別チャネル制御情報生成部１１２のＤＣＣＨの情報信号Ｓ５として、基地局装置１２０Ａに渡す。【００４４】
そして、個別チャネル制御情報生成部１１２は、移動局装置１３０が基地局装置１２０Ａのセル１２１Ａから基地局装置１２０Ｂのセル１２１ＢにＨＨＯする前に、ＨＨＯ先の基地局装置１２０Ｂで使用している物理レイヤの情報を、ＨＨＯ元の基地局装置１２０Ａに知らせる。このＨＨＯ先の基地局装置１２０Ｂで使用している物理レイヤの情報は、ＨＨＯ元の基地局装置１２０Ａから移動局装置１３０に通知される。【００４５】
また、個別チャネル制御情報生成部１１２は、移動局装置１３０に対してＨＨＯするように指示する指示信号Ｓ６を基地局装置１２０Ａに送出する。また、移動局装置１３０がＨＨＯすることを伝えるＨＨＯ信号Ｓ７を識別部１１５に送出する。【００４６】
ＭＢＭＳ制御情報生成部１１３は、基地局装置１２０Ａ，１２０ＢごとのＭＢＭＳの制御情報を生成し、これをＭＢＭＳ制御情報信号Ｓ８として、基地局装置１２０Ａ，１２０Ｂ、及びＭＢＭＳ受信確認部１１６に送出する。【００４７】
移動局情報管理部１１４は、無線制御装置１１０の制御エリア内にある端末が予めＭＢＭＳの受信登録をしている端末であるか否かを識別するための、ＭＢＭＳに関する登録情報を管理している。【００４８】
移動局情報管理部１１４は、識別部１１５から、ＨＨＯさせる移動局装置１３０のＭＢＭＳに関する登録情報の問い合わせ信号Ｓ９を受けると、問い合わせのあった移動局装置１３０のＭＢＭＳに関する登録情報を、登録情報信号Ｓ１０として識別部１１５に渡す。【００４９】
識別部１１５は、個別チャネル制御情報生成部１１２から、移動局装置１３０がＨＨＯすることを伝えるＨＨＯ信号Ｓ７を受け取ると、移動局装置１３０がＭＢＭＳの受信登録をしている端末か否かを識別するために、移動局情報管理部１１４に問い合わせ信号Ｓ９を送出する。【００５０】
これにより、識別部１１５は、移動局情報管理部１１４から、問い合わせ信号Ｓ９で問い合わせた移動局装置１３０のＭＢＭＳに関する登録情報信号Ｓ１０を受け取る。【００５１】
そして、識別部１１５は、受け取った登録情報信号Ｓ１０により、ＨＨＯしようとする移動局装置１３０がＭＢＭＳの受信登録をしている端末であるか否かを識別し、移動局装置１３０がＭＢＭＳの受信登録済みの端末である場合に、識別信号Ｓ１１をＭＢＭＳ受信確認部１１６に送出する。【００５２】
ＭＢＭＳ受信確認部１１６は、識別部１１５から受け取った識別信号Ｓ１１により、ＨＨＯしようとする移動局装置１３０がＭＢＭＳの受信登録済みの端末であることを確認すると、ＭＢＭＳ制御情報生成部１１３から受け取ったＭＢＭＳ制御情報信号Ｓ８のＭＣＣＨの情報により、ＨＨＯ先の基地局装置１２０Ｂで移動局装置１３０が受信しているＭＢＭＳを送信しているか否かを判断する。【００５３】
そして、ＭＢＭＳ受信確認部１１６は、ＨＨＯする移動局装置１３０がＭＢＭＳを受信中で、かつ移動局装置１３０が受信しているＭＢＭＳをＨＨＯ先の基地局装置１２０Ｂで送信していると判定できた場合に、ＭＢＭＳ受信確認信号Ｓ１２を無線情報抽出部１１７に送出する。【００５４】
上述のように、無線制御装置１００は、個別チャネル制御情報生成部１１２が、移動局装置１３０を基地局装置１２０Ａのセル１２１Ａから基地局装置１２０Ｂのセル１２１ＢにＨＨＯさせるために必要な情報を生成し、これを移動局装置１３０のＨＨＯ前に、情報信号Ｓ５として基地局装置１２０Ａから移動局装置１３０に通知する。【００５５】
また、個別チャネル制御情報生成部１１２は、識別部１１５に対して、ＨＨＯ対象の移動局装置１３０が存在することをＨＨＯ信号Ｓ７により通知する。【００５６】
通知を受けた識別部１１５は、ＨＨＯ対象の移動局装置１３０がＭＢＭＳの受信登録を行っているか否かを、問い合わせ信号Ｓ９により移動局情報管理部１１４に問い合わせる。【００５７】
問い合わせを受けた移動局情報管理部１１４は、移動局装置１３０が受信登録しているＭＢＭＳの一覧を、登録情報信号Ｓ１０として識別部１１５に渡す。【００５８】
識別部１１５は、移動局情報管理部１１４から渡されたＭＢＭＳの一覧に、１つでも移動局装置１３０が受信登録中のＭＢＭＳがある場合に、移動局装置１３０を識別するための識別子と、ＭＢＭＳを識別するための識別子を、識別信号Ｓ１１によりＭＢＭＳ受信確認部１１６に通知する。【００５９】
ＭＢＭＳ受信確認部１１６は、識別信号Ｓ１１により通知された識別子の移動局装置１３０のＨＨＯ先のセル１２１Ｂの基地局装置１２０Ｂで、通知された識別子のＭＢＭＳが送信されているか否かを、問い合わせ信号Ｓ１４によりＭＢＭＳ制御情報生成部１１３に問い合わせる。【００６０】
問い合わせを受けたＭＢＭＳ制御情報生成部１１３は、該当するＭＢＭＳがマルチキャスト通信にて基地局装置１２０Ｂで送信されている場合に、該当するＭＢＭＳがあることを、応答信号Ｓ１５によりＭＢＭＳ受信確認部１１６に通知する。【００６１】
ＭＢＭＳ受信確認部１１６は、ＭＢＭＳ制御情報生成部１１３からの通知により該当するＭＢＭＳがあることを確認すると、該当するＭＢＭＳの識別子と、ＨＨＯ対象の移動局装置１３０の識別子を、ＭＢＭＳ受信確認信号Ｓ１２により無線情報抽出部１１７に通知する。【００６２】
通知を受けた無線情報抽出部１１７は、移動局装置１３０のＨＨＯ先の基地局装置１２０Ｂで使用している物理レイヤの情報、つまりＭＢＭＳ制御情報生成部１１３にて生成されたＭＢＭＳ制御情報を送信している無線情報を、基地局制御情報生成部１１１から抽出し、抽出した無線情報を、個別チャネル制御情報生成部１１２に対して、移動局装置１３０の識別子と共に無線情報信号Ｓ３により通知する。【００６３】
すなわち、無線情報抽出部１１７は、移動局装置１３０のＨＨＯ先のセル１２１Ｂの基地局装置１２０Ｂで送信されている無線情報、つまりＭＢＭＳ制御情報生成部１１３にて生成されたＭＢＭＳ制御情報を運んでいる、基地局制御情報生成部１１１で生成された無線情報を、個別チャネル制御情報生成部１１２に対して、該当する移動局装置１３０の識別子と共に通知する。【００６４】
無線情報信号Ｓ３により通知を受けた個別チャネル制御情報生成部１１２は、無線情報抽出部１１７が基地局制御情報生成部１１１から抽出した無線情報を、ＨＨＯに関する制御情報を運ぶＤＣＣＨ上に挿入して、基地局装置１２０ＡからＨＨＯ前の移動局装置１３０に対して通知する。【００６５】
このように、個別チャネル制御情報生成部１１２は、移動局装置１３０がＨＨＯを実行する前に、ＨＨＯ先の基地局装置１２０Ｂで使用している物理レイヤの情報を、個別チャネル制御情報生成部１１２のＤＣＣＨの情報信号Ｓ５として、基地局装置１２０Ａから移動局装置１３０に知らせる。【００６６】
次に、図４に示すシーケンスを参照して、ＤＰＣＨの送受信を行っている移動局装置１３０が、ＭＢＭＳを受信している最中に、基地局装置１２０Ａのセル１２１Ａから基地局装置１２０Ｂのセル１２１ＢにＨＨＯする際の、本発明の無線制御方法の手順について説明する。【００６７】
図４において、ＤＰＣＨを送受信中の移動局装置１３０は、ＭＢＭＳの受信を開始するにあたり、ＤＰＣＨを送受信中の基地局装置１２０Ａより、ＨＨＯ先のセル１２１Ｂの基地局装置１２０Ｂで送信される報知情報を伝送するＢＣＣＨを、ＰＣＣＰＣＨ１を受信して取得する。【００６８】
また、移動局装置１３０は、ＭＢＭＳ制御情報生成部１１３にて生成された基地局装置１２０Ａ，１２０Ｂより送信されているＭＢＭＳに関連したＭＢＭＳ制御情報を伝送するＭＣＣＨを運ぶ、ＳＣＣＰＣＨ１の設定情報を取得する（ステップＳＴ３０１）。【００６９】
次いで、移動局装置１３０は、ステップＳＴ３０１で取得したＳＣＣＰＣＨ１の設定情報を用いて、前記ＭＢＭＳ制御情報を伝送するＭＣＣＨを取得し（ステップＳＴ３０２）、実際にＭＢＭＳが送信されているＳＣＣＰＣＨ２の設定を知る。【００７０】
ＳＣＣＰＣＨ２には、送信されているＭＢＭＳのスケジューリング情報を伝送するＭＳＣＨと、ＭＢＭＳの中身を伝送するＭＴＣＨが含まれている。【００７１】
次いで、移動局装置１３０は、送信されているＭＢＭＳのスケジューリング情報を伝送するＭＳＣＨを受信することで、自身が受信したいサービスの受信開始タイミングや受信時間を知り、該当する時間、ＭＢＭＳを受信する（ステップＳＴ３０３）。【００７２】
一方、無線制御装置１１０は、基地局装置１２０Ａのセル１２１Ａから基地局装置１２０Ｂのセル１２１ＢにＨＨＯさせるために、例えば、物理チャネル再設定メッセージを、ＤＰＤＣＨ上の制御情報を送信するＤＣＣＨに乗せて、ＨＨＯ元のセル１２１Ａの基地局装置１２０Ａより移動局装置１３０に対して通知させる（ステップＳＴ３０４）。【００７３】
また、無線制御装置１１０は、ステップＳＴ３０４において、ＨＨＯ元のセル１２１Ａの基地局装置１２０Ａより移動局装置１３０に対して通知するメッセージに、ＳＣＣＰＣＨ３の制御情報（例えば、拡散コード情報、タイミング情報）を付加する。【００７４】
次いで、基地局装置１２０Ａより前記メッセージの通知を受けた移動局装置１３０は、セル１２１Ａからセル１２１ＢへのＨＨＯを実施し、ＨＨＯ先のセル１２１Ｂの基地局装置１２０Ｂに対して、上りのＤＰＤＣＨ上のＤＣＣＨにて、物理チャネル再設定完了メッセージを送信して、セル１２１Ａからセル１２１ＢへＨＨＯしたことを通知する（ステップＳＴ３０５）。【００７５】
このように、無線制御装置１１０は、移動局装置１３０が、ステップＳＴ３０４において、ＨＨＯ元のセル１２１Ａの基地局装置１２０Ａから通知されるメッセージにより、ＳＣＣＰＣＨ３の制御情報を受け取ることができる。【００７６】
これにより、移動局装置１３０は、ステップＳＴ３０４において、ＨＨＯに関連した上りＤＰＤＣＨ上のＤＣＣＨを受信することにより、ＭＢＭＳ制御情報を伝送するＭＣＣＨを運ぶための物理レイヤの設定を知ることができる。【００７７】
従って、無線制御装置１１０では、ＨＨＯ先のセル１２１Ｂの基地局装置１２０Ｂで送信されている報知情報を伝送するＢＣＣＨを受信するためのステップ（図１に示した従来の無線制御方法におけるステップＳＴ４０６）が不要になる。【００７８】
すなわち、無線制御装置１１０では、ＨＨＯする移動局装置１３０が、ＨＨＯを行う前に、ＨＨＯ先のセル１２１Ｂの基地局装置１２０Ｂで送信されている、ＭＢＭＳ制御情報を運ぶＳＣＣＰＣＨの設定を知ることができる。【００７９】
従って、無線制御装置１１０では、従来の無線制御方法のようにＨＨＯ終了後にＭＢＭＳの受信を再開するための報知情報を受信する必要が無く、ＨＨＯ元のセル１２１Ａの基地局装置１２０Ａから事前にＭＢＭＳ制御情報を伝送するＭＣＣＨを受信することが可能となる。【００８０】
これにより、無線制御装置１１０では、移動局装置１３０が、ＨＨＯ後すぐに、ステップＳＴ３０４で取得したＳＣＣＰＣＨ３の設定情報を用いて、ＭＢＭＳ制御情報を伝送するＭＣＣＨを取得し、実際にＭＢＭＳが送信されているＳＣＣＰＣＨ４の設定を知ることができる（ステップＳＴ３０６）。【００８１】
ＳＣＣＰＣＨ４には、送信されているＭＢＭＳのスケジューリング情報を伝送するＭＳＣＨと、ＭＢＭＳの中身を伝送するＭＴＣＨが、含まれている。【００８２】
これにより、移動局装置１３０は、送信されているＭＢＭＳのスケジューリング情報を伝送するＭＳＣＨを受信することで、自身が受信したいＭＢＭＳの受信開始タイミングや受信時間を知り、該当する時間、ＭＢＭＳを受信することができる（ステップＳＴ３０７）。【００８３】
上述のように、無線制御装置１１０では、ＨＨＯの実施を促す移動局装置１３０が、マルチキャスト通信によるＭＢＭＳを受信中であるか否かを判断し、実施中であると判断した移動局装置１３０に対して、ＨＨＯ先のセル１２１ＢでＭＢＭＳに関連する制御情報を送信しているＳＣＣＰＣＨに関する設定情報を、ＨＨＯに関する制御情報上に乗せて通知することができる。【００８４】
従って、無線制御装置１１０では、移動局装置１３０が、ＨＨＯ先の基地局装置１２０Ｂのセル１２１ＢへＨＨＯした直後に、ＭＢＭＳに関連する制御情報を送信しているＳＣＣＰＣＨ３を受信することができ、ＨＨＯによるＭＢＭＳの受信中断時間を短縮することができる。【００８５】
なお、図３に示した無線制御装置１１０では、ＨＨＯに関連した上りＤＰＤＣＨ上のＤＣＣＨ上に、ＭＢＭＳ制御情報を伝送するＭＣＣＨを運ぶためのＳＣＣＰＣＨ３の設定情報を挿入したが、無線情報抽出部１１７にて、移動局装置１３０が受信すべきＭＢＭＳそのものを運ぶＳＣＣＰＣＨ４の設定情報を移動局装置１３０に通知するようにしてもよい。【００８６】
これにより、移動局装置１３０は、ＨＨＯを完了すると、ＭＢＭＳを運ぶ物理レイヤの設定を知ることができるので、ＨＨＯ後すぐに、ＳＣＣＰＣＨ４を受信することができ、ＨＨＯによるＭＢＭＳの受信中断時間を短縮することができる。【００８７】
また、無線制御装置１１０では、ＭＢＭＳ受信確認部１１６が、識別部１１５にて、移動局装置１３０が受信中のＭＢＭＳサービスがあると判断した場合に、ＭＢＭＳ制御情報生成部１１３にて生成したＨＨＯ先のセル１２１Ｂの基地局装置１２０Ｂに対するＭＣＣＨの情報を、個別チャネル制御情報生成部１１２にて送信するように、無線情報抽出部１１７に通知し、無線情報抽出部１１７が、通知されたＭＣＣＨの情報を、個別チャネル制御情報生成部１１２にてＨＨＯ元のセル１２１Ａの基地局装置１２０Ａより移動局装置１３０に通知するようにしてもよい。【００８８】
これにより、移動局装置１３０は、ＨＨＯに関連した制御情報のＤＣＣＨを受信すると、ＨＨＯ先の基地局装置１２０Ｂで送信されているＭＣＣＨの情報を知ることができる。【００８９】
従って、移動局装置１３０は、ＨＨＯ先のセル１２１Ｂの基地局装置１２０Ｂで送信されているＭＣＣＨの情報より、受信すべきＭＢＭＳに関連した情報、たとえば、ＳＣＣＰＣＨ４の設定情報を知ることができるので、ＨＨＯ後すぐに、ＳＣＣＰＣＨ４を受信することができ、ＨＨＯによるＭＢＭＳの受信中断時間を短縮することができる。【００９０】
本発明の無線制御装置の１つの態様は、マルチキャスト通信によるサービスとＤＰＣＨによる通信とを同時に受信可能な移動局装置のＨＨＯ制御を行う無線制御装置であって、前記移動局装置のＨＨＯ先のセルで、前記サービスに関する制御情報を伝送するＭＣＣＨを送信中のＳＣＣＰＣＨの設定情報を抽出する無線情報抽出手段と、前記無線情報抽出手段により抽出した前記設定情報を、前記移動局装置のＨＨＯ前に、前記移動局装置のＨＨＯに関する制御情報を伝送するＤＣＣＨ上にて、ＨＨＯ元のセルの基地局装置より前記移動局装置に対して通知する通知手段と、を具備する構成を採る。【００９１】
この構成によれば、ＨＨＯする移動局装置は、事前にＨＨＯ先のセルで送信されている、前記サービス（例えば、ＭＢＭＳ）の制御信号（無線情報）を運ぶＳＣＣＰＣＨの設定情報を知ることができる。従って、この構成によれば、移動局装置は、ＨＨＯ終了後に、ＨＨＯ先のセルで送信されている報知情報を受信することなく、前記サービスに関する制御情報を伝送するＭＣＣＨを受信することが可能となり、ＨＨＯによる前記サービスの受信中断時間を短縮することができる。【００９２】
本発明の無線制御装置の１つの態様は、前記移動局装置が前記サービスの受信登録を行っているか否かを確認して前記サービスを識別する識別手段と、前記移動局装置が前記識別手段により識別されたサービスを受信中であるか否かを確認し、前記移動局装置が前記サービスを受信中である場合に、該当するサービスの識別子と、ＨＨＯ対象の前記移動局装置の識別子を前記無線情報抽出手段に通知する受信確認手段と、を具備する構成を採る。【００９３】
この構成によれば、前記識別手段により、ＨＨＯを促す移動局装置に対して、その移動局装置が前記サービスの受信登録を行っているか否かを確認し、そのサービスを識別することができる。また、前記受信確認手段により、前記識別手段にて識別されたサービスが、現在マルチキャストによる通信を行っているか否かを確認することができる。そして、前記受信確認手段により、前記移動局装置が登録しているサービスが実施中であると判断した場合には、前記サービスに関する制御情報を伝送するＭＣＣＨを送信中のＳＣＣＰＣＨの設定情報を、ＨＨＯを促すシグナリングに乗せて、ＨＨＯする前の前記移動局装置に事前に通知することができる。【００９４】
本発明の無線制御装置の１つの態様は、前記無線情報抽出手段は、前記移動局装置が受信中の前記サービスに関するＭＣＣＨを送信中のＳＣＣＰＣＨに関する設定情報に替え、前記ＨＨＯ先のセルにおいて前記移動局装置が受信している前記サービスを送信しているＳＣＣＰＣＨの設定情報を抽出し、抽出した設定情報を前記ＨＨＯに関する制御情報を運ぶＭＣＣＨ上で前記移動局装置に対して通知する、構成を採る。【００９５】
この構成によれば、前記移動局装置は、ＨＨＯを完了すると、前記サービスを運ぶ物理レイヤの設定を知ることができるので、ＨＨＯ後すぐに、前記ＳＣＣＰＣＨを受信することができ、ＨＨＯによる前記サービスの受信中断時間を短縮することができる。【００９６】
本発明の無線制御装置の１つの態様は、前記識別手段及び前記無線情報抽出手段に替え、前記受信確認手段にて前記移動局装置が前記サービスを受信中であることを確認すると、ＨＨＯ先で送信中の前記サービスの情報を、前記ＨＨＯ前に前記ＤＣＣＨ上で前記移動局装置に通知する、構成を採る。【００９７】
この構成によれば、前記移動局装置は、ＨＨＯに関連した制御情報のＤＣＣＨを受信すると、ＨＨＯ先の基地局装置で送信されているＭＣＣＨの情報を知ることができる。従って、この構成によれば、前記移動局装置は、ＨＨＯ先のセルの基地局装置で送信されているＭＣＣＨの情報より、受信すべきＭＢＭＳに関連した情報、たとえば、ＳＣＣＰＣＨの設定情報を知ることができるので、ＨＨＯ後すぐに、ＳＣＣＰＣＨを受信することができ、ＨＨＯによるＭＢＭＳの受信中断時間を短縮することができる。【００９８】
本発明の移動局装置の１つの態様は、前記無線制御装置より送信されたマルチキャスト通信によるサービスを送信中のＳＣＣＰＣＨの設定情報をＤＰＣＨ上で受信する受信部と、前記受信部で受信した前記ＳＣＣＰＣＨの設定情報の内容に基づいて、マルチキャスト通信によるサービスを受信するマルチキャストサービス受信部と、を具備する構成を採る。【００９９】
この構成によれば、前記移動局装置は、ＨＨＯ終了後に、ＨＨＯ先のセルで送信されている報知情報を受信することなく、前記サービスに関する制御情報を伝送するＭＣＣＨを事前に受信することができ、ＨＨＯによる前記サービスの受信中断時間を短縮することができる。【０１００】
本発明の移動局装置の１つの態様は、前記受信部は、前記無線制御装置にてＨＨＯを促すシグナリングと共に挿入された、前記ＨＨＯ先のセルの前記サービスの制御情報そのものを取得することで、ＨＨＯ先のセルに自身が受信登録した前記サービスが存在することを認識し、かつＨＨＯ後に受信すべき物理チャネルの設定を知る機能を有する、構成を採る。【０１０１】
この構成によれば、前記移動局装置が、ＨＨＯ先で自身が受信を希望するサービスが実施中であることを認識し、ＨＨＯ後にＨＨＯ先のセルで送信されている報知情報やＭＣＣＨを新たに受信することなく、前記サービスの受信を開始することができる。
【産業上の利用可能性】
【０１０２】
本発明に係る無線制御装置、移動局装置、及び無線制御方法は、ＨＨＯ先のセルでマルチキャスト通信によるサービスを受信開始できるようになるまでの時間を短縮することができるので、マルチキャスト通信によるサービスとＤＰＣＨによる通信とを同時に受信可能な移動局装置がＨＨＯする際のＨＨＯ制御を行う無線制御装置、移動局装置、及び無線制御方法として有用である。
【図１】
2008065712.tif 000003
【図２】
2008065712.tif 000004
【図３】
2008065712.tif 000005
【図４】
2008065712.tif 000006
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
マルチキャスト通信によるサービスとＤＰＣＨ（Dedicated Physical Channel）による通信とを同時に受信可能な移動局装置のハードハンドオーバ制御を行う無線制御装置であって、
前記移動局装置のハードハンドオーバ先のセルで、前記サービスに関する制御情報を伝送するＭＣＣＨ(MBMS point-to-multipoint Control Channel)を送信中のＳＣＣＰＣＨ(Secondary Common Control Physical)の設定情報を抽出する無線情報抽出手段と、
前記無線情報抽出手段により抽出した前記設定情報を、前記移動局装置のハードハンドオーバ前に、前記移動局装置のハードハンドオーバに関する制御情報を伝送するＤＣＣＨ（Dedicated Control Channel）上にて、ハードハンドオーバ元のセルの基地局装置より前記移動局装置に対して通知する通知手段と、
を具備する無線制御装置。
【請求項２】
前記移動局装置が前記サービスの受信登録を行っているか否かを確認して前記サービスを識別する識別手段と、
前記移動局装置が前記識別手段により識別されたサービスを受信中であるか否かを確認し、前記移動局装置が前記サービスを受信中である場合に、該当するサービスの識別子と、ハードハンドオーバ対象の前記移動局装置の識別子を前記無線情報抽出手段に通知する受信確認手段と、
を具備する請求項１に記載の無線制御装置。
【請求項３】
前記無線情報抽出手段は、前記移動局装置が受信中の前記サービスに関するＭＣＣＨを送信中のＳＣＣＰＣＨに関する設定情報に替え、前記ハンドオーバ先のセルにおいて前記移動局装置が受信している前記サービスを送信しているＳＣＣＰＣＨの設定情報を抽出し、抽出した設定情報を前記ハンドオーバに関する制御情報を運ぶＭＣＣＨ上で前記移動局装置に対して通知する、
請求項１に記載の無線制御装置。
【請求項４】
前記識別手段及び前記無線情報抽出手段に替え、前記受信確認手段にて前記移動局装置が前記サービスを受信中であることを確認すると、ハードハンドオーバ先で送信中の前記サービスの情報を、前記ハードハンドオーバ前に前記ＤＣＣＨ上で前記移動局装置に通知する、
請求項２に記載の無線制御装置。
【請求項５】
請求項１記載の無線制御装置より送信されたマルチキャスト通信によるサービスを送信中のＳＣＣＰＣＨの設定情報をＤＰＣＨ上で受信する受信部と、
前記受信部で受信した前記ＳＣＣＰＣＨの設定情報の内容に基づいて、マルチキャスト通信によるサービスを受信するマルチキャストサービス受信部と、
を具備する移動局装置。
【請求項６】
前記受信部は、前記無線制御装置にてハードハンドオーバを促すシグナリングと共に挿入された、前記ハードハンドオーバ先のセルの前記サービスの制御情報そのものを取得することで、ハードハンドオーバ先のセルに自身が受信登録した前記サービスが存在することを認識し、かつハードハンドオーバ後に受信すべき物理チャネルの設定を知る機能を有する、
請求項５記載の移動局装置。
【請求項７】
マルチキャスト通信によるサービスとＤＰＣＨによる通信とを同時に受信可能な移動局装置のハードハンドオーバ制御を行う無線制御方法であって、
前記移動局装置のハードハンドオーバ先のセルで、前記サービスに関する制御情報を伝送するＭＣＣＨを送信中のＳＣＣＰＣＨの設定情報を抽出する無線情報抽出ステップと、
前記無線情報抽出ステップにより抽出した前記設定情報を、前記移動局装置のハードハンドオーバ前に、前記移動局装置のハードハンドオーバに関するＤＣＣＨ上にて、ハードハンドオーバ元のセルの基地局装置より前記移動局装置に対して通知する通知ステップと、
を具備する無線制御方法。
【手続補正２】
【補正対象書類名】明細書
【補正対象項目名】全文
【補正方法】変更
【補正の内容】
【発明の詳細な説明】
【技術分野】
【０００１】
本発明は、マルチキャスト通信によるサービスと個別チャネル（ＤＰＣＨ：Dedicated Physical Channel）による通信とを同時に受信可能な移動局装置のハードハンドオーバ制御を行う無線制御装置、移動局装置、及び無線制御方法に関する。
【背景技術】
【０００２】
この種の移動局装置（ＵＥ：User Equipment）に対するハードハンドオーバ（以下、「ＨＨＯ」という）の制御に関する手順は、非特許文献１の規格により規定されている。
【０００３】
非特許文献１には、移動局装置がＭＢＭＳ（Multimedia Broadcast Multicast Service）によるマルチキャスト受信を行う際の手順として、
（１）ＨＨＯ先のセルの基地局装置から送信される報知情報の取得
（２）ＭＢＭＳの制御情報を伝送する論理チャネル（ＭＣＣＨ：MBMS point-to-multipoint Control Channel）の取得
（３）ＭＢＭＳの中身を伝送する論理チャネル（ＭＴＣＨ：MBMS point-to-multipoint
Traffic Channel）の受信
の順で行うことが記載されている。
【０００４】
また、非特許文献１には、移動局装置が、ＨＨＯ先のセルで使用する（あるいは使用する可能性のある）個別チャネルに関する設定情報（configuration情報）を、ＨＨＯ元のセルの基地局装置より論理チャネル（ＤＣＣＨ：Dedicated Control Channel）にて事前に通知することが記載されている。
【０００５】
図１は、従来の無線制御方法により移動局装置がＨＨＯする際の手順を示すシーケンス図である。
【０００６】
図１に示すシーケンスは、個別チャネルＤＰＣＨの送受信を行っている移動局装置１３が、ＭＢＭＳを受信している最中に、基地局装置１２Ａのセルから基地局装置１２ＢのセルにＨＨＯする際の手順を示したものである。
【０００７】
図１において、ＤＰＣＨを送受信中の移動局装置１３は、ＭＢＭＳの受信を開始するにあたり、ＤＰＣＨを送受信中の基地局装置１２Ａより、報知情報を伝送する論理チャネル（ＢＣＣＨ：Broadcast Control Channel）を、物理チャネル（ＰＣＣＰＣＨ１：Primary
Common Control Physical）を受信して取得し、ＭＢＭＳの制御情報を伝送する論理チャネルＭＣＣＨを運ぶ、物理チャネル（ＳＣＣＰＣＨ１：Secondary Common Control Physical）の設定情報（configuration情報）を取得する（ステップＳＴ４０１）。
【０００８】
次いで、移動局装置１３は、ステップＳＴ４０１で取得したＳＣＣＰＣＨ１の設定情報を用いて、ＭＢＭＳの制御情報を伝送するＭＣＣＨを取得し（ステップＳＴ４０２）、実際にＭＢＭＳが送信されているＳＣＣＰＣＨ２の設定を知る。
【０００９】
ＳＣＣＰＣＨ２には、送信されているＭＢＭＳのスケジューリング情報を伝送する論理チャネル（ＭＳＣＨ：MBMS point-to-multipoint schedule Channel)と、ＭＢＭＳの中身を伝送するＭＴＣＨが含まれている。
【００１０】
次いで、移動局装置１３は、前記ＭＳＣＨを受信することで、自身が受信したいＭＢＭＳの受信開始タイミングや受信時間を知り、該当する時間、ＭＢＭＳを受信する（ステッ
プＳＴ４０３）。
【００１１】
無線制御装置（ＲＮＣ；Radio Network Controller）１１は、移動局装置１３を、基地局装置１２Ａのセルから基地局装置１２ＢのセルにＨＨＯさせるために、例えば、物理チャネル再設定（Physical channel reconfiguration）メッセージを、ＤＰＤＣＨ（Dedicated Physical Data Channel）上の制御情報を送信するＤＣＣＨに乗せて、ＨＨＯ元であるセルの基地局装置１２Ａより移動局装置１３に対して通知させる（ステップＳＴ４０４）。
【００１２】
前記メッセージの通知を受けた移動局装置１３は、ＨＨＯを実施し、ＨＨＯ先のセルの基地局装置１２Ｂに対して、上りのＤＰＤＣＨ上のＤＣＣＨにて、物理チャネル再設定完了（Physical channel reconfiguration complete）メッセージを送信して、ＨＨＯしたことを基地局装置１２Ｂに通知する（ステップＳＴ４０５）。この物理チャネル再設定完了（Physical channel reconfiguration complete）メッセージは、基地局装置１２Ａを介して無線制御装置１１にも通知される。
【００１３】
この後、移動局装置１３は、ＨＨＯにより中断されていたＭＢＭＳの受信を再開するために、基地局装置１２Ｂから送信される受信信号に対して、基地局装置１２Ａからの受信信号に対して行った手順（ステップＳＴ４０１，ステップＳＴ４０２，ステップＳＴ４０３）と同様の手順を行う（ステップＳＴ４０６，ステップＳＴ４０７，ステップＳＴ４０８）。
【００１４】
すなわち、移動局装置１３は、ＨＨＯにより中断されていたＭＢＭＳの受信を再開するにあたり、基地局装置１２Ｂより、ＰＣＣＰＣＨ２を受信して、報知情報を伝送するＢＣＣＨを取得し、ＭＢＭＳの制御情報を伝送するＭＣＣＨを運ぶ、ＳＣＣＰＣＨ３の設定情報を取得する（ステップＳＴ４０６）。
【００１５】
次いで、移動局装置１３は、ステップＳＴ４０６で取得したＳＣＣＰＣＨ３の設定情報を用いて、ＭＢＭＳの制御情報を伝送するＭＣＣＨを取得し、実際にＭＢＭＳが送信されているＳＣＣＰＣＨ４の設定を知る（ステップＳＴ４０７）。
【００１６】
ＳＣＣＰＣＨ４には、送信されているＭＢＭＳのスケジューリング情報を伝送するＭＳＣＨと、ＭＢＭＳの中身を伝送するＭＴＣＨが含まれている。
【００１７】
そして、移動局装置１３は、送信されているＭＢＭＳのスケジューリング情報を伝送するＭＳＣＨを受信することで、自身が受信したいＭＢＭＳの受信開始タイミングや受信時間を知り、ＭＢＭＳの受信を再開する（ステップＳＴ４０８）。
【非特許文献１】３ＧＰＰ  ＴＳ２５．３３１  Ｖ６．８．０
【発明の開示】
【発明が解決しようとする課題】
【００１８】
ところで、上述したように、非特許文献１に記載されている従来の無線制御方法においては、移動局装置１３が、ＨＨＯ先のセルの基地局装置１２Ｂから実際に送信されているＭＢＭＳのＳＣＣＰＣＨ３の設定を知ることで、ＨＨＯ後のＭＢＭＳの受信を再開するようになっている。
【００１９】
従って、従来の無線制御方法においては、移動局装置１３が、ＨＨＯ先のセルで報知情報を伝送するＢＣＣＨを取得し、ＭＢＭＳの制御情報を伝送するＭＣＣＨを運ぶ、ＳＣＣＰＣＨ３の設定情報を知るまで、ＨＨＯ先のセルでＭＢＭＳの受信を開始することができない。
【００２０】
すなわち、従来の無線制御方法では、ＨＨＯ先のセルでＭＢＭＳが受信可能である場合であっても、移動局装置１３は、ＨＨＯ後のセルの基地局装置１２Ｂが送信している報知情報を取得し、ＭＢＭＳに関する制御情報を運ぶ、ＭＣＣＨを送信しているＳＣＣＰＣＨ３の設定を知るまで、ＭＣＣＨを受信することができないため、ＨＨＯ後すぐにはＭＢＭＳの受信を開始することができない。
【００２１】
このため、従来の無線制御方法では、ＨＨＯ先のセルにおいてＭＢＭＳが実際に受信可能な状態になるまでに、時間を要する欠点があった。
【００２２】
また、従来の無線制御方法では、移動局装置１３が、ＤＰＣＨによる通信を行っている際に報知情報を運ぶＰＣＣＰＣＨ１を同時に受信することができない場合、ＳＣＣＰＣＨ１の設定情報を得ることができないため、ＤＰＣＨによる通信が終了するまでＭＢＭＳの受信を開始することができない欠点があった。
【００２３】
このように、従来の無線制御方法では、移動局装置１３がＨＨＯ先の基地局１２Ｂのセルに移動した後に、ＭＢＭＳの受信を再開するまでに長い時間を要してしまうという課題がある。
【００２４】
本発明の目的は、ＨＨＯ先のセルでマルチキャスト通信によるサービスを受信開始できるようになるまでの時間を短縮することができる無線制御装置、移動局装置、及び無線制御方法を提供することである。
【課題を解決するための手段】
【００２５】
本発明の無線制御装置は、マルチキャスト通信によるサービスとＤＰＣＨ（Dedicated Physical Channel）による通信とを同時に受信可能な移動局装置のハードハンドオーバ制御を行う無線制御装置であって、前記移動局装置のハードハンドオーバ先のセルで、前記サービスに関する制御情報を伝送するＭＣＣＨ(MBMS point-to-multipoint Control Channel)を送信中のＳＣＣＰＣＨ(Secondary Common Control Physical)の設定情報を抽出する無線情報抽出手段と、前記無線情報抽出手段により抽出した前記設定情報を、前記移動局装置のハードハンドオーバ前に、前記移動局装置のハードハンドオーバに関する制御情報を伝送するＤＣＣＨ（Dedicated Control Channel）上にて、ハードハンドオーバ元のセルの基地局装置より前記移動局装置に対して通知する通知手段と、を具備する構成を採る。
【００２６】
本発明の移動局装置は、請求項１記載の無線制御装置より送信されたマルチキャスト通信によるサービスを送信中の物理チャネルＳＣＣＰＣＨの設定情報を個別チャネルＤＰＣＨ上で受信する受信部と、前記受信部で受信した前記物理チャネルＳＣＣＰＣＨの設定情報の内容に基づいて、前記マルチキャスト通信によるサービスを受信するマルチキャストサービス受信部と、を具備する構成を採る。
【発明の効果】
【００２７】
本発明によれば、ＨＨＯ先のセルでマルチキャスト通信によるサービスを受信開始できるようになるまでの時間を短縮することができる。
【発明を実施するための最良の形態】
【００２８】
以下、本発明の一実施の形態について、図面を参照して詳細に説明する。
【００２９】
図２に、本発明の無線制御方法が適用される無線アクセスネットワークの概略構成を示す。無線アクセスネットワーク１００は、無線制御装置１１０、基地局装置１２０Ａ，１２０Ｂ、移動局装置１３０などで構成されている。
【００３０】
移動局装置１３０は、電源のＯＮにより、自身が位置しているセル１２１Ａの基地局装置１２０Ａから発信される報知情報を受信する。報知情報には、基地局装置１２０Ａの位置情報が含まれており、これにより移動局装置１３０は自身が位置しているセル１２１Ａを知ることができる。
【００３１】
次いで、移動局装置１３０は、固有の識別情報を基地局装置１２０Ａに送り、位置登録をするように要求する。識別情報は、基地局装置１２０Ａを経て、図示しない位置登録データベース（ＶＬＲ；Visitor Location Register）に送られる。
【００３２】
ＶＬＲは、自身が受け持つ複数のセルからなるエリア内の端末（移動局装置１３０を含む）を管理する。
【００３３】
移動局装置１３０の位置登録情報は、ＶＬＲから、さらに携帯電話網全体の端末情報を管理する図示しないデータベース（ＨＬＲ；Home Location Register）に送られる。ＨＬＲは、予め全てのユーザ情報とＶＬＲの位置情報を持っている。
【００３４】
移動局装置１３０の位置登録が実行されると、ＶＬＲとともにＨＬＲの情報が更新される。
【００３５】
無線制御装置１１０は、移動局装置１３０が基地局装置１２０Ａの通信エリアであるセル１２１Ａから基地局装置１２０Ｂの通信エリアであるセル１２１Ｂに移動する際に、基地局装置１２０Ａ，１２０Ｂに対するＨＨＯ制御を行う機能を有している。
【００３６】
図３に、無線制御装置１１０の構成を示す。無線制御装置１１０は、基地局制御情報生成部１１１、個別チャネル制御情報生成部１１２、ＭＢＭＳ制御情報生成部１１３、移動局情報管理部１１４、識別部１１５、ＭＢＭＳ受信確認部１１６、無線情報抽出部１１７を備えている。無線制御装置１１０は、基地局装置１２０Ａ，１２０Ｂで使用している物理レイヤの情報を予め持っている。
【００３７】
基地局制御情報生成部１１１は、基地局装置１２０Ａ，１２０Ｂに対して、各基地局装置１２０Ａ，１２０Ｂで送信に使用するコード番号などの、物理チャネルの制御情報である基地局制御情報信号Ｓ１を生成し、生成した基地局制御情報信号Ｓ１を基地局装置１２０Ａ，１２０Ｂに送出する。
【００３８】
無線情報抽出部１１７は、移動局装置１３０のＨＨＯ先の基地局装置１２０Ｂで使用している物理レイヤの情報を問い合わせる、問い合わせ信号Ｓ４を、基地局制御情報生成部１１１に送信する。無線情報抽出部１１７は、問い合わせ信号Ｓ４で問い合わせた基地局装置１２０Ｂに関する物理レイヤの情報を、基地局制御情報生成部１１１から情報信号Ｓ２として受け取る。
【００３９】
そして、無線情報抽出部１１７は、基地局制御情報生成部１１１から抽出した物理レイヤの情報を、個別チャネル制御情報生成部１１２で生成するＤＣＣＨの情報として移動局装置１３０に伝えるように、無線情報信号Ｓ３として個別チャネル制御情報生成部１１２に渡す。
【００４０】
また、無線情報抽出部１１７は、ＭＢＭＳ受信確認部１１６から確認信号Ｓ１２を受け取ることにより、個別チャネル制御情報生成部１１２に指示信号Ｓ１３を送出する。確認信号Ｓ１２は、ＭＢＭＳ受信確認部１１６により、ＨＨＯする移動局装置１３０が、ＭＢＭＳを受信中で、かつ移動局装置１３０が受信しているＭＢＭＳをＨＨＯ先の基地局装置１２０Ｂで送信していると判定できたことを無線情報抽出部１１７に知らせる。指示信号Ｓ１３は、情報信号Ｓ２として抽出した無線情報を、個別チャネル制御情報生成部１１２の論理チャネルＤＣＣＨの情報信号Ｓ５として、ＨＨＯ元の基地局装置１２０Ａを介して移動局装置１３０に渡すように指示する。
【００４１】
このように、無線情報抽出部１１７は、ＭＢＭＳ受信確認部１１６にて確認されたＭＢＭＳに関連する無線情報を、基地局制御情報生成部１１１から情報信号Ｓ２として抽出し、抽出した無線情報を無線情報信号Ｓ３として個別チャネル制御情報生成部１１２に通知する。
【００４２】
個別チャネル制御情報生成部１１２は、無線情報抽出部１１７から渡された、移動局装置１３０のＨＨＯ先の基地局装置１２０Ｂで使用している物理レイヤの情報である無線情報信号Ｓ３を、個別チャネル制御情報生成部１１２のＤＣＣＨの情報信号Ｓ５として、基地局装置１２０Ａに渡す。
【００４３】
そして、個別チャネル制御情報生成部１１２は、移動局装置１３０が基地局装置１２０Ａのセル１２１Ａから基地局装置１２０Ｂのセル１２１ＢにＨＨＯする前に、ＨＨＯ先の基地局装置１２０Ｂで使用している物理レイヤの情報を、ＨＨＯ元の基地局装置１２０Ａに知らせる。このＨＨＯ先の基地局装置１２０Ｂで使用している物理レイヤの情報は、ＨＨＯ元の基地局装置１２０Ａから移動局装置１３０に通知される。
【００４４】
また、個別チャネル制御情報生成部１１２は、移動局装置１３０に対してＨＨＯするように指示する指示信号Ｓ６を基地局装置１２０Ａに送出する。また、移動局装置１３０がＨＨＯすることを伝えるＨＨＯ信号Ｓ７を識別部１１５に送出する。
【００４５】
ＭＢＭＳ制御情報生成部１１３は、基地局装置１２０Ａ，１２０ＢごとのＭＢＭＳの制御情報を生成し、これをＭＢＭＳ制御情報信号Ｓ８として、基地局装置１２０Ａ，１２０Ｂ、及びＭＢＭＳ受信確認部１１６に送出する。
【００４６】
移動局情報管理部１１４は、無線制御装置１１０の制御エリア内にある端末が予めＭＢＭＳの受信登録をしている端末であるか否かを識別するための、ＭＢＭＳに関する登録情報を管理している。
【００４７】
移動局情報管理部１１４は、識別部１１５から、ＨＨＯさせる移動局装置１３０のＭＢＭＳに関する登録情報の問い合わせ信号Ｓ９を受けると、問い合わせのあった移動局装置１３０のＭＢＭＳに関する登録情報を、登録情報信号Ｓ１０として識別部１１５に渡す。
【００４８】
識別部１１５は、個別チャネル制御情報生成部１１２から、移動局装置１３０がＨＨＯすることを伝えるＨＨＯ信号Ｓ７を受け取ると、移動局装置１３０がＭＢＭＳの受信登録をしている端末か否かを識別するために、移動局情報管理部１１４に問い合わせ信号Ｓ９
を送出する。
【００４９】
これにより、識別部１１５は、移動局情報管理部１１４から、問い合わせ信号Ｓ９で問い合わせた移動局装置１３０のＭＢＭＳに関する登録情報信号Ｓ１０を受け取る。
【００５０】
そして、識別部１１５は、受け取った登録情報信号Ｓ１０により、ＨＨＯしようとする移動局装置１３０がＭＢＭＳの受信登録をしている端末であるか否かを識別し、移動局装置１３０がＭＢＭＳの受信登録済みの端末である場合に、識別信号Ｓ１１をＭＢＭＳ受信確認部１１６に送出する。
【００５１】
ＭＢＭＳ受信確認部１１６は、識別部１１５から受け取った識別信号Ｓ１１により、ＨＨＯしようとする移動局装置１３０がＭＢＭＳの受信登録済みの端末であることを確認すると、ＭＢＭＳ制御情報生成部１１３から受け取ったＭＢＭＳ制御情報信号Ｓ８のＭＣＣＨの情報により、ＨＨＯ先の基地局装置１２０Ｂで移動局装置１３０が受信しているＭＢＭＳを送信しているか否かを判断する。
【００５２】
そして、ＭＢＭＳ受信確認部１１６は、ＨＨＯする移動局装置１３０がＭＢＭＳを受信中で、かつ移動局装置１３０が受信しているＭＢＭＳをＨＨＯ先の基地局装置１２０Ｂで送信していると判定できた場合に、ＭＢＭＳ受信確認信号Ｓ１２を無線情報抽出部１１７に送出する。
【００５３】
上述のように、無線制御装置１００は、個別チャネル制御情報生成部１１２が、移動局装置１３０を基地局装置１２０Ａのセル１２１Ａから基地局装置１２０Ｂのセル１２１ＢにＨＨＯさせるために必要な情報を生成し、これを移動局装置１３０のＨＨＯ前に、情報信号Ｓ５として基地局装置１２０Ａから移動局装置１３０に通知する。
【００５４】
また、個別チャネル制御情報生成部１１２は、識別部１１５に対して、ＨＨＯ対象の移動局装置１３０が存在することをＨＨＯ信号Ｓ７により通知する。
【００５５】
通知を受けた識別部１１５は、ＨＨＯ対象の移動局装置１３０がＭＢＭＳの受信登録を行っているか否かを、問い合わせ信号Ｓ９により移動局情報管理部１１４に問い合わせる。
【００５６】
問い合わせを受けた移動局情報管理部１１４は、移動局装置１３０が受信登録しているＭＢＭＳの一覧を、登録情報信号Ｓ１０として識別部１１５に渡す。
【００５７】
識別部１１５は、移動局情報管理部１１４から渡されたＭＢＭＳの一覧に、１つでも移動局装置１３０が受信登録中のＭＢＭＳがある場合に、移動局装置１３０を識別するための識別子と、ＭＢＭＳを識別するための識別子を、識別信号Ｓ１１によりＭＢＭＳ受信確認部１１６に通知する。
【００５８】
ＭＢＭＳ受信確認部１１６は、識別信号Ｓ１１により通知された識別子の移動局装置１３０のＨＨＯ先のセル１２１Ｂの基地局装置１２０Ｂで、通知された識別子のＭＢＭＳが送信されているか否かを、問い合わせ信号Ｓ１４によりＭＢＭＳ制御情報生成部１１３に問い合わせる。
【００５９】
問い合わせを受けたＭＢＭＳ制御情報生成部１１３は、該当するＭＢＭＳがマルチキャスト通信にて基地局装置１２０Ｂで送信されている場合に、該当するＭＢＭＳがあることを、応答信号Ｓ１５によりＭＢＭＳ受信確認部１１６に通知する。
【００６０】
ＭＢＭＳ受信確認部１１６は、ＭＢＭＳ制御情報生成部１１３からの通知により該当するＭＢＭＳがあることを確認すると、該当するＭＢＭＳの識別子と、ＨＨＯ対象の移動局装置１３０の識別子を、ＭＢＭＳ受信確認信号Ｓ１２により無線情報抽出部１１７に通知する。
【００６１】
通知を受けた無線情報抽出部１１７は、移動局装置１３０のＨＨＯ先の基地局装置１２０Ｂで使用している物理レイヤの情報、つまりＭＢＭＳ制御情報生成部１１３にて生成されたＭＢＭＳ制御情報を送信している無線情報を、基地局制御情報生成部１１１から抽出し、抽出した無線情報を、個別チャネル制御情報生成部１１２に対して、移動局装置１３０の識別子と共に無線情報信号Ｓ３により通知する。
【００６２】
すなわち、無線情報抽出部１１７は、移動局装置１３０のＨＨＯ先のセル１２１Ｂの基地局装置１２０Ｂで送信されている無線情報、つまりＭＢＭＳ制御情報生成部１１３にて生成されたＭＢＭＳ制御情報を運んでいる、基地局制御情報生成部１１１で生成された無線情報を、個別チャネル制御情報生成部１１２に対して、該当する移動局装置１３０の識別子と共に通知する。
【００６３】
無線情報信号Ｓ３により通知を受けた個別チャネル制御情報生成部１１２は、無線情報抽出部１１７が基地局制御情報生成部１１１から抽出した無線情報を、ＨＨＯに関する制御情報を運ぶＤＣＣＨ上に挿入して、基地局装置１２０ＡからＨＨＯ前の移動局装置１３０に対して通知する。
【００６４】
このように、個別チャネル制御情報生成部１１２は、移動局装置１３０がＨＨＯを実行する前に、ＨＨＯ先の基地局装置１２０Ｂで使用している物理レイヤの情報を、個別チャネル制御情報生成部１１２のＤＣＣＨの情報信号Ｓ５として、基地局装置１２０Ａから移動局装置１３０に知らせる。
【００６５】
次に、図４に示すシーケンスを参照して、ＤＰＣＨの送受信を行っている移動局装置１３０が、ＭＢＭＳを受信している最中に、基地局装置１２０Ａのセル１２１Ａから基地局装置１２０Ｂのセル１２１ＢにＨＨＯする際の、本発明の無線制御方法の手順について説明する。
【００６６】
図４において、ＤＰＣＨを送受信中の移動局装置１３０は、ＭＢＭＳの受信を開始するにあたり、ＤＰＣＨを送受信中の基地局装置１２０Ａより、ＨＨＯ先のセル１２１Ｂの基地局装置１２０Ｂで送信される報知情報を伝送するＢＣＣＨを、ＰＣＣＰＣＨ１を受信して取得する。
【００６７】
また、移動局装置１３０は、ＭＢＭＳ制御情報生成部１１３にて生成された基地局装置１２０Ａ，１２０Ｂより送信されているＭＢＭＳに関連したＭＢＭＳ制御情報を伝送するＭＣＣＨを運ぶ、ＳＣＣＰＣＨ１の設定情報を取得する（ステップＳＴ３０１）。
【００６８】
次いで、移動局装置１３０は、ステップＳＴ３０１で取得したＳＣＣＰＣＨ１の設定情報を用いて、前記ＭＢＭＳ制御情報を伝送するＭＣＣＨを取得し（ステップＳＴ３０２）、実際にＭＢＭＳが送信されているＳＣＣＰＣＨ２の設定を知る。
【００６９】
ＳＣＣＰＣＨ２には、送信されているＭＢＭＳのスケジューリング情報を伝送するＭＳＣＨと、ＭＢＭＳの中身を伝送するＭＴＣＨが含まれている。
【００７０】
次いで、移動局装置１３０は、送信されているＭＢＭＳのスケジューリング情報を伝送するＭＳＣＨを受信することで、自身が受信したいサービスの受信開始タイミングや受信
時間を知り、該当する時間、ＭＢＭＳを受信する（ステップＳＴ３０３）。
【００７１】
一方、無線制御装置１１０は、基地局装置１２０Ａのセル１２１Ａから基地局装置１２０Ｂのセル１２１ＢにＨＨＯさせるために、例えば、物理チャネル再設定メッセージを、ＤＰＤＣＨ上の制御情報を送信するＤＣＣＨに乗せて、ＨＨＯ元のセル１２１Ａの基地局装置１２０Ａより移動局装置１３０に対して通知させる（ステップＳＴ３０４）。
【００７２】
また、無線制御装置１１０は、ステップＳＴ３０４において、ＨＨＯ元のセル１２１Ａの基地局装置１２０Ａより移動局装置１３０に対して通知するメッセージに、ＳＣＣＰＣＨ３の制御情報（例えば、拡散コード情報、タイミング情報）を付加する。
【００７３】
次いで、基地局装置１２０Ａより前記メッセージの通知を受けた移動局装置１３０は、セル１２１Ａからセル１２１ＢへのＨＨＯを実施し、ＨＨＯ先のセル１２１Ｂの基地局装置１２０Ｂに対して、上りのＤＰＤＣＨ上のＤＣＣＨにて、物理チャネル再設定完了メッセージを送信して、セル１２１Ａからセル１２１ＢへＨＨＯしたことを通知する（ステップＳＴ３０５）。
【００７４】
このように、無線制御装置１１０は、移動局装置１３０が、ステップＳＴ３０４において、ＨＨＯ元のセル１２１Ａの基地局装置１２０Ａから通知されるメッセージにより、ＳＣＣＰＣＨ３の制御情報を受け取ることができる。
【００７５】
これにより、移動局装置１３０は、ステップＳＴ３０４において、ＨＨＯに関連した上りＤＰＤＣＨ上のＤＣＣＨを受信することにより、ＭＢＭＳ制御情報を伝送するＭＣＣＨを運ぶための物理レイヤの設定を知ることができる。
【００７６】
従って、無線制御装置１１０では、ＨＨＯ先のセル１２１Ｂの基地局装置１２０Ｂで送信されている報知情報を伝送するＢＣＣＨを受信するためのステップ（図１に示した従来の無線制御方法におけるステップＳＴ４０６）が不要になる。
【００７７】
すなわち、無線制御装置１１０では、ＨＨＯする移動局装置１３０が、ＨＨＯを行う前に、ＨＨＯ先のセル１２１Ｂの基地局装置１２０Ｂで送信されている、ＭＢＭＳ制御情報を運ぶＳＣＣＰＣＨの設定を知ることができる。
【００７８】
従って、無線制御装置１１０では、従来の無線制御方法のようにＨＨＯ終了後にＭＢＭＳの受信を再開するための報知情報を受信する必要が無く、ＨＨＯ元のセル１２１Ａの基地局装置１２０Ａから事前にＭＢＭＳ制御情報を伝送するＭＣＣＨを受信することが可能となる。
【００７９】
これにより、無線制御装置１１０では、移動局装置１３０が、ＨＨＯ後すぐに、ステップＳＴ３０４で取得したＳＣＣＰＣＨ３の設定情報を用いて、ＭＢＭＳ制御情報を伝送するＭＣＣＨを取得し、実際にＭＢＭＳが送信されているＳＣＣＰＣＨ４の設定を知ることができる（ステップＳＴ３０６）。
【００８０】
ＳＣＣＰＣＨ４には、送信されているＭＢＭＳのスケジューリング情報を伝送するＭＳＣＨと、ＭＢＭＳの中身を伝送するＭＴＣＨが、含まれている。
【００８１】
これにより、移動局装置１３０は、送信されているＭＢＭＳのスケジューリング情報を伝送するＭＳＣＨを受信することで、自身が受信したいＭＢＭＳの受信開始タイミングや受信時間を知り、該当する時間、ＭＢＭＳを受信することができる（ステップＳＴ３０７）。
【００８２】
上述のように、無線制御装置１１０では、ＨＨＯの実施を促す移動局装置１３０が、マルチキャスト通信によるＭＢＭＳを受信中であるか否かを判断し、実施中であると判断した移動局装置１３０に対して、ＨＨＯ先のセル１２１ＢでＭＢＭＳに関連する制御情報を送信しているＳＣＣＰＣＨに関する設定情報を、ＨＨＯに関する制御情報上に乗せて通知することができる。
【００８３】
従って、無線制御装置１１０では、移動局装置１３０が、ＨＨＯ先の基地局装置１２０Ｂのセル１２１ＢへＨＨＯした直後に、ＭＢＭＳに関連する制御情報を送信しているＳＣＣＰＣＨ３を受信することができ、ＨＨＯによるＭＢＭＳの受信中断時間を短縮することができる。
【００８４】
なお、図３に示した無線制御装置１１０では、ＨＨＯに関連した上りＤＰＤＣＨ上のＤＣＣＨ上に、ＭＢＭＳ制御情報を伝送するＭＣＣＨを運ぶためのＳＣＣＰＣＨ３の設定情報を挿入したが、無線情報抽出部１１７にて、移動局装置１３０が受信すべきＭＢＭＳそのものを運ぶＳＣＣＰＣＨ４の設定情報を移動局装置１３０に通知するようにしてもよい。
【００８５】
これにより、移動局装置１３０は、ＨＨＯを完了すると、ＭＢＭＳを運ぶ物理レイヤの設定を知ることができるので、ＨＨＯ後すぐに、ＳＣＣＰＣＨ４を受信することができ、ＨＨＯによるＭＢＭＳの受信中断時間を短縮することができる。
【００８６】
また、無線制御装置１１０では、ＭＢＭＳ受信確認部１１６が、識別部１１５にて、移動局装置１３０が受信中のＭＢＭＳサービスがあると判断した場合に、ＭＢＭＳ制御情報生成部１１３にて生成したＨＨＯ先のセル１２１Ｂの基地局装置１２０Ｂに対するＭＣＣＨの情報を、個別チャネル制御情報生成部１１２にて送信するように、無線情報抽出部１１７に通知し、無線情報抽出部１１７が、通知されたＭＣＣＨの情報を、個別チャネル制御情報生成部１１２にてＨＨＯ元のセル１２１Ａの基地局装置１２０Ａより移動局装置１３０に通知するようにしてもよい。
【００８７】
これにより、移動局装置１３０は、ＨＨＯに関連した制御情報のＤＣＣＨを受信すると、ＨＨＯ先の基地局装置１２０Ｂで送信されているＭＣＣＨの情報を知ることができる。
【００８８】
従って、移動局装置１３０は、ＨＨＯ先のセル１２１Ｂの基地局装置１２０Ｂで送信されているＭＣＣＨの情報より、受信すべきＭＢＭＳに関連した情報、たとえば、ＳＣＣＰＣＨ４の設定情報を知ることができるので、ＨＨＯ後すぐに、ＳＣＣＰＣＨ４を受信することができ、ＨＨＯによるＭＢＭＳの受信中断時間を短縮することができる。
【００８９】
本発明の無線制御装置の１つの態様は、マルチキャスト通信によるサービスとＤＰＣＨによる通信とを同時に受信可能な移動局装置のＨＨＯ制御を行う無線制御装置であって、前記移動局装置のＨＨＯ先のセルで、前記サービスに関する制御情報を伝送するＭＣＣＨを送信中のＳＣＣＰＣＨの設定情報を抽出する無線情報抽出手段と、前記無線情報抽出手段により抽出した前記設定情報を、前記移動局装置のＨＨＯ前に、前記移動局装置のＨＨＯに関する制御情報を伝送するＤＣＣＨ上にて、ＨＨＯ元のセルの基地局装置より前記移動局装置に対して通知する通知手段と、を具備する構成を採る。
【００９０】
この構成によれば、ＨＨＯする移動局装置は、事前にＨＨＯ先のセルで送信されている、前記サービス（例えば、ＭＢＭＳ）の制御信号（無線情報）を運ぶＳＣＣＰＣＨの設定情報を知ることができる。従って、この構成によれば、移動局装置は、ＨＨＯ終了後に、ＨＨＯ先のセルで送信されている報知情報を受信することなく、前記サービスに関する制
御情報を伝送するＭＣＣＨを受信することが可能となり、ＨＨＯによる前記サービスの受信中断時間を短縮することができる。
【００９１】
本発明の無線制御装置の１つの態様は、前記移動局装置が前記サービスの受信登録を行っているか否かを確認して前記サービスを識別する識別手段と、前記移動局装置が前記識別手段により識別されたサービスを受信中であるか否かを確認し、前記移動局装置が前記サービスを受信中である場合に、該当するサービスの識別子と、ＨＨＯ対象の前記移動局装置の識別子を前記無線情報抽出手段に通知する受信確認手段と、を具備する構成を採る。
【００９２】
この構成によれば、前記識別手段により、ＨＨＯを促す移動局装置に対して、その移動局装置が前記サービスの受信登録を行っているか否かを確認し、そのサービスを識別することができる。また、前記受信確認手段により、前記識別手段にて識別されたサービスが、現在マルチキャストによる通信を行っているか否かを確認することができる。そして、前記受信確認手段により、前記移動局装置が登録しているサービスが実施中であると判断した場合には、前記サービスに関する制御情報を伝送するＭＣＣＨを送信中のＳＣＣＰＣＨの設定情報を、ＨＨＯを促すシグナリングに乗せて、ＨＨＯする前の前記移動局装置に事前に通知することができる。
【００９３】
本発明の無線制御装置の１つの態様は、前記無線情報抽出手段は、前記移動局装置が受信中の前記サービスに関するＭＣＣＨを送信中のＳＣＣＰＣＨに関する設定情報に替え、前記ＨＨＯ先のセルにおいて前記移動局装置が受信している前記サービスを送信しているＳＣＣＰＣＨの設定情報を抽出し、抽出した設定情報を前記ＨＨＯに関する制御情報を運ぶＭＣＣＨ上で前記移動局装置に対して通知する、構成を採る。
【００９４】
この構成によれば、前記移動局装置は、ＨＨＯを完了すると、前記サービスを運ぶ物理レイヤの設定を知ることができるので、ＨＨＯ後すぐに、前記ＳＣＣＰＣＨを受信することができ、ＨＨＯによる前記サービスの受信中断時間を短縮することができる。
【００９５】
本発明の無線制御装置の１つの態様は、前記識別手段及び前記無線情報抽出手段に替え、前記受信確認手段にて前記移動局装置が前記サービスを受信中であることを確認すると、ＨＨＯ先で送信中の前記サービスの情報を、前記ＨＨＯ前に前記ＤＣＣＨ上で前記移動局装置に通知する、構成を採る。
【００９６】
この構成によれば、前記移動局装置は、ＨＨＯに関連した制御情報のＤＣＣＨを受信すると、ＨＨＯ先の基地局装置で送信されているＭＣＣＨの情報を知ることができる。従って、この構成によれば、前記移動局装置は、ＨＨＯ先のセルの基地局装置で送信されているＭＣＣＨの情報より、受信すべきＭＢＭＳに関連した情報、たとえば、ＳＣＣＰＣＨの設定情報を知ることができるので、ＨＨＯ後すぐに、ＳＣＣＰＣＨを受信することができ、ＨＨＯによるＭＢＭＳの受信中断時間を短縮することができる。
【００９７】
本発明の移動局装置の１つの態様は、前記無線制御装置より送信されたマルチキャスト通信によるサービスを送信中のＳＣＣＰＣＨの設定情報をＤＰＣＨ上で受信する受信部と、前記受信部で受信した前記ＳＣＣＰＣＨの設定情報の内容に基づいて、マルチキャスト通信によるサービスを受信するマルチキャストサービス受信部と、を具備する構成を採る。
【００９８】
この構成によれば、前記移動局装置は、ＨＨＯ終了後に、ＨＨＯ先のセルで送信されている報知情報を受信することなく、前記サービスに関する制御情報を伝送するＭＣＣＨを事前に受信することができ、ＨＨＯによる前記サービスの受信中断時間を短縮することが
できる。
【００９９】
本発明の移動局装置の１つの態様は、前記受信部は、前記無線制御装置にてＨＨＯを促すシグナリングと共に挿入された、前記ＨＨＯ先のセルの前記サービスの制御情報そのものを取得することで、ＨＨＯ先のセルに自身が受信登録した前記サービスが存在することを認識し、かつＨＨＯ後に受信すべき物理チャネルの設定を知る機能を有する、構成を採る。
【０１００】
この構成によれば、前記移動局装置が、ＨＨＯ先で自身が受信を希望するサービスが実施中であることを認識し、ＨＨＯ後にＨＨＯ先のセルで送信されている報知情報やＭＣＣＨを新たに受信することなく、前記サービスの受信を開始することができる。
【産業上の利用可能性】
【０１０１】
本発明に係る無線制御装置、移動局装置、及び無線制御方法は、ＨＨＯ先のセルでマルチキャスト通信によるサービスを受信開始できるようになるまでの時間を短縮することができるので、マルチキャスト通信によるサービスとＤＰＣＨによる通信とを同時に受信可能な移動局装置がＨＨＯする際のＨＨＯ制御を行う無線制御装置、移動局装置、及び無線制御方法として有用である。
【図面の簡単な説明】
【０１０２】
【図１】従来の無線制御方法により移動局装置がハードハンドオーバする際の手順を示すシーケンス図
【図２】本発明の一実施の形態に係る無線制御装置を用いた無線アクセスネットワークの構成を示す概略構成図
【図３】本発明の一実施の形態に係る無線制御装置の構成を示すブロック図
【図４】本発明の一実施の形態に係る無線制御装置を用いて移動局装置がハンドオーバする際の手順を示すシーケンス図
【手続補正３】
【補正対象書類名】図面
【補正対象項目名】全図
【補正方法】変更
【補正の内容】
【図１】
2008065712.tif 000007
【図２】
2008065712.tif 000008
【図３】
2008065712.tif 000009
【図４】
2008065712.tif 000010
【国際調査報告】
2008065712.tif 000011
2008065712.tif 000012
2008065712.tif 000013
2008065712.tif 000014